(57)【要約】【課題】収容物と接触する天板の防錆効果を完全に達成するとともに、収容物の品質保持を充分にし、天板の先端縁部に対する液状防錆剤の塗布作業を不要とする缶を提供すること。【解決手段】筒状の缶胴体１と、缶胴体１の下端部と結合した底板２と、外周端部３ａを前記缶胴体１の上端部に結合するとともに内側に開口３ｂを形成した天板３と、天板３の前記開口３ｂを被蓋する蓋体４とからなる缶において、天板３の内周端側には内周側壁３ｃを立上らせるとともに、この立上り内周側壁３ｃの先端部は外向きに巻き込んだ巻込部３ｄを形成する。【選択図】　　　　図１
2004142756.tif 000002
【特許請求の範囲】
【請求項１】
筒状の缶胴体と、缶胴体の下端部と結合した底板と、外周端部を前記缶胴体の上端部に結合するとともに内側に開口を形成した天板と、天板の前記開口を被蓋する蓋体とからなる缶において、
前記天板の内周端側には内周側壁を立上らせるとともに、この立上り内周側壁の先端部は外向きに巻き込んだ巻込部を形成したことを特徴とする缶。
【発明の詳細な説明】
【０００１】
【発明の属する技術分野】
本発明は、塗料や化学薬品等の収容物を収納する缶に関する。詳しくは、缶胴体の上端部に結合した開口を有する天板の改良に係る缶に関する。
【０００２】
【従来の技術】
従来より、この種の缶としては、図５及び図６に示すように、２つの環状凹溝からなるＷ形状の天板を有する缶（以下、従来例１と言う。）と、図７に示すように、１つの環状凹溝からなるシングル形状の天板を有する缶（以下、従来例２と言う。）が知られている。
【０００３】
従来例１の缶は、図５及び図６に示すように、筒状の缶胴体０１と、この缶胴体０１の下端部と結合した底板０２と、外周端部０３ａを前記缶胴体０１の上端部０１ａに巻締めにより結合するとともに、内側に開口０３ｂを形成した天板０３と、天板０３の前記開口０３ｂを被蓋する蓋体０４とからなっている。そして、前記天板０３の内周端側には内周側壁０３ｃを立上がらせるとともに、この内周側壁０３ｃの先端部を内向き（時計方向）に巻き込んだ巻込部０３ｄを形成し、該巻込部０３ｄが収容物（塗料や化学薬品等の原材料で通常は液体である）で浸漬されるようにしてある。また、天板０３の内周側壁０３ｃの外側に形成した環状凹部０５に、蓋体０４の裏面に形成した環状突部０６を嵌合して、天板０３に蓋体０４を固定するようにしてある。なお、蓋体０４には中央部に小口径の開口部０７を形成し、この開口部０７をキャップ０８で閉蓋するようにしてある。かかる開口部０７やキャップ０８を構成せずに無孔のものでもよい。
【０００４】
この従来例１の缶の天板０３は、表裏両面に防錆剤０１０を塗着した１枚の大きな平板を所要大きさに複数枚切断し、その切断された板をプレス機で打抜きして穴をあけ後に、絞り加工を施して先端部を内向きに巻き込んだ巻込部０３ｄを形成し、外周端部０３ａを缶胴体０１の上端部０１ａと巻締め加工してなるものである。
ところで、天板０３の巻込部０３ｄの表裏両面は前述したように防錆剤０１０が塗着されているものの、該巻込部０３ｄの先端縁部０３ｎには防錆剤が塗着されていない。
【０００５】
図７に示した従来例２の缶は、図５の缶と同様に、缶胴体０１と底板０２（図示せず）と天板０３と蓋体０４とで構成してあり、図７と図５の両者は天板０３と蓋体０４の形状が異なり、その他の構成は同様としてなるものである。
この場合の天板０３は、外周端部０３ａを缶胴体０１の上端部０１ａに巻締めにより結合するとともに、該巻込部より内周側に形成した環状凹部０３ｅを経て、内周端側に内周側壁０３ｆを垂設し、この内周側壁０３ｆの下端部を反時計方向に巻き込んだ巻込部０３ｄを形成し、該巻込部０３ｄが収容物で浸漬されるようにしてある。なお、この場合の蓋体０４には、図６に示すような環状突部０６は形成されていない。
【０００６】
また、この場合の天板０３も、従来例１の天板０３と同様の加工工程を採り、天板０３の巻込部０３ｄの表裏両面は防錆剤０１０が塗着されているものの、該巻込部０３ｄの先端縁部０３ｎには防錆剤が塗着されていない。
【０００７】
【発明が解決しようとする課題】
しかるに、従来例１及び従来例２の缶は、いずれも、天板０３の巻込部０３ｄの先端縁部０３ｎには防錆剤が塗着されていないため、該先端縁部０３ｎが、缶胴体０１内に収容されている収容物と反応して錆びてしまい、収容物の品質を低下するなどの問題があった。
【０００８】
上記対応策として、前記先端縁部０３ｎに液状の防錆剤を塗布していたが、これによっても１００％完全に塗布できず、防錆効果は不充分であるとともに、その塗布作業が面倒であった。
【０００９】
本発明は、上記従来例１、２の缶が有する問題点を解決し、収容物と接触する天板の防錆効果を完全に達成するとともに、収容物の品質保持を充分にし、天板の先端縁部に対する液状防錆剤の塗布作業を不要とする缶を提供することを目的とする。
【００１０】
【課題を解決するための手段】
上記目的を達成するため、本発明の缶は、筒状の缶胴体と、缶胴体の下端部と結合した底板と、外周端部を前記缶胴体の上端部に結合するとともに内側に開口を形成した天板と、天板の前記開口を被蓋する蓋体とからなる缶において、前記天板の内周端側には内周側壁を立上らせるとともに、この立上り内周側壁の先端部は外向きに巻き込んだ巻込部を形成したことを特徴とする。
【００１１】
【発明の実施の形態１】
本発明の実施の形態の第１例を図１及び図２に基づいて以下に説明する。
この実施形態の缶は、筒状の缶胴体１と、この缶胴体１の下端部１ａと結合した底板２と、外周端部３ａを前記缶胴体１の上端部１ｂに巻締めにより結合するとともに内側に開口３ｂを形成した天板３と、天板３の前記開口３ｂを被蓋する蓋体４とからなっている。
【００１２】
前記天板３は、従来例１の缶の天板０３の場合と同様に、表裏両面に防錆剤１０を塗着した１枚の大きな平板を複数枚に切断する切断工程、プレス機による打抜き工程、絞りや曲げ工程等を経て製作される。すなわち、天板３の内周端側に内周側壁３ｃを立上がらせるとともに、この内周側壁３ｃの先端部を外向き（反時計方向）に巻き込んだ巻込部３ｄを形成し、該巻込部３ｄの先端縁部３ｎが開口３ｂを臨まないようにしてある。そのため、蓋体４を天板３に被蓋したときに、前記先端縁部３ｎは防錆剤１０が塗布されていなくても、収容物により錆びることがない。また、天板３の立上がり内周側壁３ｃより外側には環状凹部５を形成している。このように形成された天板３の外周端部３ａを缶胴体１の上端部１ｂに巻締めにより結合する。
【００１３】
上述の如く缶胴体１に組付けされた天板３の前記環状凹部５に、蓋体４の裏面に形成した環状突部６を嵌合して、天板３に蓋体４を被蓋する。この蓋体４の被蓋により巻込部３ｄの頂部がシールされるため、収容物が前記先端縁部３ｎに侵入することがない。なお、蓋体４には中央部に小口径の開口部７を形成し、この開口部７をキャップ８で閉蓋するようにしてある。かかる開口部７やキャップ８を構成せずに無孔のものでもよい。図１で９は前記環状凹部５より浅くした環状凹部である。
【００１４】
この実施形態の天板３の巻込部３ｄの作用について説明すると、巻込部３ｄは外向きに巻き込んであるため、その先端縁部３ｎは収容物が出し入れされる開口３ｂに臨むことがないので、該先端縁部３ｎが収容物と反応して錆びることがなく、収容物の品質低下を来すことがないし、さらに従来の如く同先端縁部３ｎに液状の防錆剤を塗布する必要もない。
【００１５】
【発明の実施の形態２】
本発明の実施の形態の第２例を図３及び図４に基づいて以下に説明する。
この実施形態２の缶は、前記実施形態１（図１及び図２）のものと、天板３の構成が異なり、その他の構成は同様としてあるものである。
【００１６】
すなわち、この実施形態の天板３は、図１に示すような蓋体４の環状突部６を嵌合する環状凹部５を形成することなく、環状凹部９のみを形成し、天板３の内周端側に立上がらせた内周側壁３ｃの先端部を外向き（反時計方向）に巻き込んだ巻込部３ｄを形成し、該巻込部３ｄの先端縁部３ｎが開口３ｂを臨まないようにしてある。そのため、蓋体４を天板３に被蓋したときに、前記先端縁部３ｎは防錆剤１０が塗布されていなくても、収容物により錆びることがない。しかも、蓋体４の被蓋により巻込部３ｄの頂部がシールされるため、収容物が前記内周端縁部３ｎに侵入することがない。
【００１７】
この場合の天板３の巻込部３ｄの作用については、前記〔００１４〕で説明している通りである。
【００１８】
【変形例等】
天板３と缶胴体１の上端部との結合は、前述の実施形態では巻締めにより結合しているが、本発明では、溶接又は一体成形によるなど、その他の結合方式を採ることもできる。
【００１９】
【発明の効果】
本発明によれば、内側に開口を形成した天板の内周端側には内周側壁を立上らせるとともに、この立上り内周側壁の先端部は外向きに巻き込んだ巻込部を形成しているから、天板と蓋体で閉蓋した場合に、天板の巻込部頂部が蓋体でシールされることと相俟って、前記巻込部の先端縁部に防錆剤が塗布されていなくても、立上り内周側壁の先端縁部に対して収容物が接触することがない。そのため、前記巻込部の先端縁部が収容物と反応して錆びることがなく、収容物の品質保持が充分に達成できるし、さらに従来の如く上記先端縁部に液状の防錆剤を塗布する必要もない。
【図面の簡単な説明】
【図１】本発明の実施の形態１の一部を断面で示した全体の説明図である。
【図２】図１における天板の巻込部近傍の拡大断面図である。
【図３】本発明の実施の形態２の一部を断面で示した全体の説明図である。
【図４】図３における天板の巻込部近傍の拡大断面図である。
【図５】従来例１の一部を断面で示した全体の説明図である。
【図６】図５における天板の巻込部近傍の拡大断面図である。
【図７】従来例２の一部を断面で示した一部断面図である。
【符号の説明】
１　　　缶胴体
２　　　底板
３　　　天板
３ａ　　外周端部
３ｂ　　開口
３ｃ　　内周側壁
３ｄ　　巻込部
３ｎ　　先端縁部
４　　　蓋体
５　　　環状凹部
６　　　環状突部
１０　　防錆剤
【図１】
2004142756.tif 000003
【図２】
2004142756.tif 000004
【図３】
2004142756.tif 000005
【図４】
2004142756.tif 000006
【図５】
2004142756.tif 000007
【図６】
2004142756.tif 000008
【図７】
2004142756.tif 000009